(57)【要約】      （修正有）【課題】極めてシンプルな構造で組み立て易いリバーシブルフォトスタンドを提供する。【解決手段】透明アクリル樹脂等からなる二枚の矩形ボード間に写真等を挟持し、該矩形ボードの各４辺を金属製又はプラスチック製の断面コ状のフレームで挟持するように構成したリバーシブルフォトスタンドであって、一方の矩形ボードの周縁の４辺に沿って条溝が形成されており、他方の矩形ボードの周縁の４辺の内の３辺に沿って条溝が形成される。金属製又はプラスチック製の断面コ状のフレームの内側先端部に一体的に形成された突条が条溝に当接する。【選択図】図２
0003167629.tif 000002
【実用新案登録請求の範囲】
【請求項１】
透明アクリル樹脂等からなる二枚の矩形ボード間に写真等を挟持し、該矩形ボードの各４辺を金属製又はプラスチック製の断面コ状のフレームで挟持するように構成したリバーシブルフォトスタンドであって、一方の矩形ボードの周縁の４辺に沿って条溝が形成されており、他方の矩形ボードの周縁の４辺の内の３辺に沿って条溝が形成されて構成されていることを特徴とするリバーシブルフォトスタンド。
【請求項２】
金属製又はプラスチック製の断面コ状のフレームの内側先端部に一体的に形成された突条が前記条溝に当接するように構成したことを特徴とする請求項１記載のリバーシブルフォトスタンド。
【請求項３】
金属製又はプラスチック製の断面コ状のフレームの内側に、矩形ボードを挟持する際に該矩形ボードの嵌着位置を規制する突条ストッパーが一体的に形成されていることを特徴とする請求項１記載のリバーシブルフォトスタンド。
【請求項４】
フレームの両面又は側面に条溝が形成されていることを特徴とする請求項１記載のリバーシブルフォトスタンド。
【請求項５】
フレームの両面又は側面に形成された条溝にスタンド補助部品の端部又は壁掛け部品の端部が嵌着されるように構成したことを特徴とする請求項１記載のリバーシブルフォトスタンド。
【考案の詳細な説明】
【技術分野】
【０００１】  本考案は極めてシンプルな構造で組み立て易いリバーシブルフォトスタンドに関する。
【背景技術】
【０００２】  従来は多くの写真立てが考案されており、その中でもリバーシブルフォトスタンドが提案されており、その一例として、実用新案登録第３１２８０７８号公報に見られるようなリバーシブルフォトスタンドが開示されている。
【先行技術文献】
【特許文献】
【０００３】
【特許文献１】  実用新案登録第３１２８０７８号
【考案の概要】
【考案が解決しようとする課題】
【０００４】  前記せる実用新案登録第３１２８０７８号公報では、オモテ板とウラ板の２枚セットからなり、１枚のウラ板の表面と裏面に異なる配色を施したアクリル製写真立てであって、４カ所のネジ止めをするものである。【０００５】  また、下方に長めの固定ネジを利用し、固定ネジの突出部によってフォトスタンドを立てるものであった。
しかしながら、このリバーシブルフォトスタンドで写真等を入れ替えたりする場合は、４カ所のネジを取り外して写真等の交換をし、更に写真等を配置した状態を保ちながら、４カ所のネジを螺合する為に手間のかかるものであった。
【課題を解決するための手段】
【０００６】  これに対して、本考案は極めてシンプルな構造で組み立て易いリバーシブルフォトスタンドを提供するものであり、透明アクリル樹脂等からなる二枚の矩形ボード間に写真等を挟持し、該矩形ボードの各４辺を金属製又はプラスチック製の断面コ状のフレームで挟持するように構成したリバーシブルフォトスタンドであって、一方の矩形ボードの周縁の４辺に沿って条溝が形成されており、他方の矩形ボードの周縁の４辺の内の３辺に沿って条溝が形成されて構成されていることを特徴とし、金属製又はプラスチック製の断面コ状のフレームの内側先端部に一体的に形成された突条が前記条溝に当接するように構成したことを特徴とし、金属製又はプラスチック製の断面コ状のフレームの内側に、矩形ボードを挟持する際に該矩形ボードの嵌着位置を規制する突条ストッパーが一体的に形成されていることを特徴とし、フレームの両面又は側面に条溝が形成されていることを特徴とし、且つ、フレームの両面又は側面に形成された条溝にスタンド補助部品の端部又は壁掛け部品の端部が嵌着されるように構成したことを特徴とするリバーシブルフォトスタンドを提供する。
【考案の効果】
【０００７】  本考案のリバーシブルフォトスタンドによれば、透明アクリル樹脂等からなる矩形ボード間に写真等が挟持され、該矩形ボードの各４辺に対して、金属製又はプラスチック製の断面コ状のフレームを装着して容易に矩形ボードを挟持することができるので、極めてシンプルな構造で容易に写真等を装着でき、しかもリバーシブルに使用できるものである。
【図面の簡単な説明】
【０００８】
【図１】本考案のリバーシブルフォトスタンドの平面図である。
【図２】図１のＡ−Ａ線の拡大断面図である。
【図３】図１のＢ−Ｂ線の拡大断面図である。
【図４】本考案のリバーシブルフォトスタンドの斜視図である。
【図５】スタンド補助部品の斜視図である。
【図６】本考案のリバーシブルフォトスタンドの斜視図である。
【図７】スタンド補助部品の斜視図である。
【図８】本考案のリバーシブルフォトスタンドの斜視図である。
【図９】スタンド補助部品の斜視図である。
【図１０】本考案リバーシブルフォトスタンドの組立て手順説明図である。
【図１１】本考案リバーシブルフォトスタンドの組立て手順説明図である。
【図１２】本考案リバーシブルフォトスタンドの壁掛け状態断面図である。
【図１３】本考案リバーシブルフォトスタンドの壁掛け状態断面図である。
【考案を実施するための形態】
【０００９】  以下、図面に基づいて、本考案を実施するための形態を具体的に説明する。
図面に於いて、図１は本考案のリバーシブルフォトスタンドの平面図である。図２は図１のＡ−Ａ線の拡大断面図である。図３は図１のＢ−Ｂ線の拡大断面図である。図４は本考案のリバーシブルフォトスタンドの斜視図である。図５はスタンド補助部品の斜視図である。図６は本考案のリバーシブルフォトスタンドの斜視図である。図７はスタンド補助部品の斜視図である。図８は本考案のリバーシブルフォトスタンドの斜視図である。図９はスタンド補助部品の斜視図である。図１０は本考案リバーシブルフォトスタンドの組立て手順説明図である。図１１は本考案リバーシブルフォトスタンドの組立て手順説明図である。図１２は本考案リバーシブルフォトスタンドの壁掛け状態断面図である。図１３は本考案リバーシブルフォトスタンドの壁掛け状態断面図である。
【００１０】  本考案のリバーシブルフォトスタンドは、基本的には図１乃至図２に示すように、写真等が挟持される矩形ボード５，６の各４辺を金属製又はプラスチック製の断面コ状のフレーム１，２，３，４で挟持するように構成した極めてシンプルな構造のリバーシブルフォトスタンドであって、図２に示すように、一方の矩形ボード６の周縁の４辺に沿って条溝６１が形成されており、図３に示すように、他方の矩形ボード５の周縁の４辺の内の３辺に沿って条溝５１が形成されている。
【００１１】  すなわち、図１のＢ−Ｂ線断面で示される図３で明らかなように、フレーム２が当接される矩形ボード５の１辺には図３には条溝が形成されていない。
【００１２】  この理由は後述する組立て手順の図１０乃至図１１に基づいて説明する。
【００１３】  金属製又はプラスチック製の断面コ状のフレーム１、２、３、４の内側先端部には突条２２が一体的に形成されており、突条２２が前記条溝５１，６１に当接するように構成されている。
【００１４】  但し前記せる図３に示す矩形ボード５の１辺に当接するフレーム２の内側には突条２２がないが、この理由も後述する組立て手順の図１０乃至図１１に基づいて説明する。
【００１５】  図２、図３及び図１１で明らかなように、金属製又はプラスチック製の断面コ状のフレームの内側に、矩形ボードを挟持する際に該矩形ボードの嵌着位置を規制するための突条ストッパー２１が一体的に形成されており、この突条２１は全てのフレーム１、２、３、４に共通している。
【００１６】  フレーム１、２、３、４の両面には条溝２４、２４が形成されており、側面には条溝２５が形成されている。
【００１７】  前記せる状溝２５には、図５に示すようなスタンド補助部品７の基部７１が嵌着され、図４に示すようにフォトスタンドを起立させることができる。
【００１８】  また、前記せる状溝２５には、図７に示すようなスタンド補助部品８の基部８１が嵌着され、図６に示すようにフォトスタンドを起立させることができる。
【００１９】  また、図９に示すようなスタンド補助部品１０の嵌着部１１を、例えばフレーム４に嵌着すれば、図８に示すようにフォトスタンドを起立させることができる。
【００２０】    次いで、図１０乃至図１１に基づき、本考案のリバーシブルフォトスタンドの組立て手順について説明する。
【００２１】  金属製又はプラスチック製の断面コ状のフレーム１、２、３、４の内側先端部には一体的に形成された突条２２が形成されているので、該突条２２を矩形ボード６の条溝６１に当接して矢印Ｃ方向に順次スライドすれば、極めて容易にフレーム１、３、４を図１０に示すように順次嵌着することができ、最後に残ったフレーム２は図１１に示すように、突条２２を矩形ボード６の条溝６１に当接して矢印Ｄの方向に回せば極めて容易に嵌着することができ、図１に示すように完成される。
【００２２】  すなわち、前記せる最後に残ったフレーム２はスライド操作で嵌着することができないので、図３に示す矩形ボード５の１辺には条溝５１が形成されていない。
【００２３】  図１２乃至図１３に示すように、壁１３に固定された壁掛け部品１２の先端部を、フレーム１の条溝に挿入すれば、いずれの方向にもリバーシブルフォトスタンドの壁掛けが可能であり、このような壁掛けにおいてもリバーシブル可能に利用することができる。
【００２４】  更に、透明アクリル樹脂以外の材質からなる矩形ボードにおいても、周縁に沿って条溝が形成され、金属製又はプラスチック製の断面コ状のフレームの内側先端部に一体的に形成された突条を前記条溝に当接するように構成することもできる。
【００２５】  この場合は、矩形ボードが不透明であるので、リバーシブルとしての機能はなくなるが矩形ボードの周縁に沿って形成された条溝に、金属製又はプラスチック製の断面コ状のフレームの内側先端部に一体的に形成された突条が前記条溝に当接されて組立てられる構造は本考案の技術範囲に属するものである。
【産業上の利用可能性】
【００２６】  以上説明したように、本考案のリバーシブルフォトスタンドによれば、極めてシンプルな構造で、容易に写真等をセットすることができ、しかも両面を使用することができるので、一般家庭や学校等において、極めて便利に使用できる可能性の高いものである。
【符号の説明】
【００２７】  １．フレーム
２．フレーム
２１．突条ストッパー
２２．突条
２４．条溝
２５．条溝
３．フレーム
４．フレーム
５．矩形ボード
５１．条溝
６．矩形ボード
６１．条溝
７．スタンド補助部品
７１．基部
８．スタンド補助部品
８１．基部
１０．スタンド補助部材
１１．端部
１２．壁掛け部品
１３．壁
【図１】
0003167629.tif 000003
【図２】
0003167629.tif 000004
【図３】
0003167629.tif 000005
【図４】
0003167629.tif 000006
【図５】
0003167629.tif 000007
【図６】
0003167629.tif 000008
【図７】
0003167629.tif 000009
【図８】
0003167629.tif 000010
【図９】
0003167629.tif 000011
【図１０】
0003167629.tif 000012
【図１１】
0003167629.tif 000013
【図１２】
0003167629.tif 000014
【図１３】
0003167629.tif 000015